(57)【特許請求の範囲】
【請求項１】
相対的に回転可能にロック部材に接続された充填部材が収容できる開放リムを備えた閉鎖可能な鎖リンクであって、前記ロック部材は、リンクが閉鎖したときにリンクによって包囲される空間内に位置決めされるとともに前記開放リム内の通路よりも狭い距離で隔たった２つの対向平坦面を有しており、これら平坦面に平行な方向における前記ロック部材の寸法は、リンクの閉鎖位置では前記充填部材によって閉鎖されている通路よりも大きく、前記充填部材と前記ロック部材とは、該充填部材の外部アクセス可能なチャンバーに配置されて拡大頭部を有する保持部材によって相互に接続されており、該保持部材は、前記ロック部材に接続されるとともに、前記充填部材と前記ロック部材とを回転方向において互いにブロックするような方向にばね装填されており、前記ロック部材は、鎖リンクの連続リムに設けたチャンバー内に収容可能な支持用ジャーナルで終端するとともに、前記ロック部材の前記保持部材は、該ロック部材のねじ付き端にねじ込み可能な円筒ナットを有してなる閉鎖可能な鎖リンクにおいて、前記ロック部材（１５）はリンク（１）によって包囲される空間内に収容されて軸方向の滑動が抑制されるとともに、前記ロック部材（１５）の内部に配置され軸方向に滑動可能なロック機構（２９、３０）に嵌合しており、該ロック機構（２９、３０）は、前記保持部材（１４）に作用するばね（１７）の影響下でロック位置に保持されるとともに、該ばね（１７）の圧縮によって、回転方向に前記ロック部材（１５）を前記保持部材（１４）に結合する位置にもたらされるようにしたことを特徴とする、閉鎖可能な鎖リンク。
【請求項２】
前記ロック部材（１５）は段差を設けた中空チャンバーを内部に備えており、該中空チャンバーはその内部に確保可能なジャーナル（１８）によって、前記充填部材（９）から離れた側が閉鎖されており、該ジャーナル（１８）は前記充填部材（９）に近い側でスロット（２５）に嵌合しており、該スロット（２５）内には、前記ロック部材（１５）と前記ロック機構（２９、３０）間において回転方向に能動的なカップリングを形成するように、該ロック機構（２９、３０）の方形頭部（３０）が収容可能であることを特徴とする、請求項１に記載の閉鎖可能な鎖リンク。
【請求項３】
前記ロック部材（１５）は、前記充填部材（９）のねじ付きチャンバー（１３）にねじ込み可能かつ確保可能な、中心貫通孔を有するボルト（２６）によって該充填部材（９）に接続されており、前記ジャーナル（１８）に近い側の該ボルト（２６）端面には、前記ロック機構（２９、３０）の方形頭部（３０）を部分的に収容するロックスロット（２７）が設けられていることを特徴とする、請求項１または２に記載の閉鎖可能な鎖リンク。
【発明の詳細な説明】
【０００１】
【発明の属する技術分野】
本発明は、相対的に回転可能なロック部材に接続した充填部材を収容できるようにした開放リムを備えた閉鎖可能な鎖リンクであって、ロック部材はリンクが閉鎖したときにリンクによって包囲される空間内に位置決めされるとともに、開放リム内の通路よりも狭い距離で隔たった２つの対向平担面を有し、この平担面に平行な方向におけるロック部材の寸法はリンクの閉鎖位置では充填部材によって閉鎖されている通路よりも大きく、また、充填部材とロック部材とは、充填部材の外部アクセス可能なチャンバーに配置されるとともに、拡大頭部を有する保持部材によって相互接続されており、保持部材はロック部材に接続されるとともに充填部材とロック部材とを回転方向において互いにブロックするような方向にばねによって付勢され、ロック部材は鎖リンクの連続リム内に設けたチャンバー内に支持用に収容可能なジャーナル内で終端し、ロック部材の保持部材はロック部材のねじ端に螺合可能な円筒ナットを有してなる、閉鎖可能なリンクに関する。
【０００２】
【従来の技術】
このような鎖リンクは、ＮＬ−Ａ−８５０２６３０によって公知である。当該鎖リンクのロック部材は、単一部品からなり、リンクで包囲された空間内で軸方向に滑動可能に収容されている。回転に対するロックは、ロック部材の充填部材に近い側の端面に設けられた細いうねによって構成され、この細いうねは充填部材に設けられたスロット内に収容可能である。
【０００３】
【発明が解決しようとする課題】
このスロットは、鎖リンク内の通路の両側で当該リンクの本体の２つのつば内に続いている。万一このスロットあるいは細いうねまたはその両方が破損した場合には、細いうねを上記のスロットに収容するのは困難もしくは不可能になることは明白である。同じ結果は、遮蔽されていないスロット内に汚れが堆積することによっても起こりうる。どちらにしても、充填部材とロック部材の相対回転に対するロックはもはや保証されず安全性における危険を伴うことになる。
【０００４】
このような安全性に対する危険は、鎖リンクに強い衝撃が加わってかなり重いロック部材を軸方向に変位させ、そのためにロック部材が回転のロックからスリップアウトして外れてしまうような場合も起こりうる。
【０００５】
【課題を解決するための手段】
本発明の目的は、こうした安全性に対する危険を除去した、上記タイプの鎖リンクを提供することである。このために、本発明の鎖リンクは、ロック部材はリンクによって包囲される空間内に収容されて軸方向の滑動を抑制されるとともに、ロック部材の内部に配置される軸方向に滑動可能なロック機構に嵌合しており、前記ロック部材は、保持部材に作用するばねの影響でロック位置に保持されるとともに、ばねを圧縮することによって、ロック部材を保持部材に連結する位置に回転方向に移動可能であることを特徴とする。
【０００６】
こうして、充填部材とロック部材の相互ロックは、外部から遮蔽される。衝撃によって生じるような、ばね圧下の各部の運動エネルギーは、そうしたものがあっても、かなり減少するので、ロック外れの心配はもはやない。
【０００７】
さらに、本発明による閉鎖可能な鎖リンクの詳細は、従属クレームにさらに詳しく記載されている。
【０００８】
【発明の実施の形態】
本発明による鎖リンクの一具体例を、付属図面を参照してさらに解説する。
【０００９】
図１は本発明による安全ロックを有する鎖リンクの横断面図、図２は充填部材なしの鎖リンクの立面図である。
【００１０】
図２による鎖リンクは、オランダ特許出願８５０２６３０号による鎖リンクと実質的に同一であり、開放リムの対向端５、６間に通路２を備えたＣ形本体１を有している。リンクの連続リムには、通路２の反対側に、チャンバー１９が設けられている。通路２の両側では、鎖リンクの自由端がつば５、６に隣接する狭部３、４を有している。つば５、６は、狭部３、４よりわずかに分厚くされている。つば５、６の内側の面７、８は脱金属処理されている。
【００１１】
鎖リンク１と同様に、充填部材９はオランダ特許出願８５０２６３０号による充填部材と実質上同一である。この充填部材は、通路２に配置可能な方形部分を有し、この方形部分は拡大頭部１０と連結している。この拡大頭部は、その上側と下側にそれぞれフォーク２０、２１を備えており、これらのフォークは、鎖リンク１の対応する狭部３、４に係合可能になっている。充填部材９のフォーク２０、２１と方形中央部分の間には、それぞれリンク１のつば５、６を収容するための凹チャンバー２２、２３が設けられている。このような充填部材９の形によって、鎖リンク１の開放リム内の張力を正確に伝達できるようになっている。
【００１２】
充填部材９の方形部分には、大直径のねじ付きチャンバー１３内に続く穴１２が設けられている。穴１２は、充填部材９の拡大頭部１０の外表面まで続いており、斜面１１で終端している。分離防止ロックに嵌合した軸方向に移動不可能なロック部材は、円筒ハウジング１５と、ジャーナル１８と、中央貫通孔付きのボルト２６と、中央ピン２９と、円筒ナット１４とを有している。
【００１３】
円筒ハウジング１５は、リンクの開放リムの対向端５、６間の通路２よりも短い距離で隔てられて互いに対向配置された２つの平坦面１６を有しており、ハウジング１５内には、段付穴が設けられている。
【００１４】
ジャーナル１８はハウジング１５内に圧入され、だぼピン２４によって回転防止ロックされている。ジャーナル１８は、装着状態では鎖リンク１の連続リムに設けられたチャンバー１９内に支持されている。ジャーナル１８は、また、ハウジング１５内に位置する端面中央に配置された担体スロット２５を備えている。
【００１５】
中央貫通孔付きのボルト２６は、端面の中央を通って設けられたロックスロット２７を備えた円筒頭部を有する。この円筒頭部を有するボルト２６は、充填部材９の方形部分のねじ付きチャンバー１３内にねじ込まれ、偏心配置されただぼピン２８によって回転防止ロックされている。
【００１６】
中央ピン２９は、貫通孔を有する円筒頭部付きボルト２６のスロット２７とジャーナル１８のスロット２５に滑りばめされている方形頭部３０を有している。この中央ピン２９は、方形頭部３０と反対側の端部にねじ山３１を備えており、このねじ山３１には円筒ナット１４が嵌合している。
【００１７】
円筒ナット１４は、内部六角鍵穴３２とつば３３とを備えている。つば３３は圧縮ばね１７が当接するばねカップとして作用する。圧縮ばね１７は、ナット１４を締め付けることで所定のばね力に設定可能である。
【００１８】
ロック部材１５に連結された充填部材９を図１に示す鎖リンクの閉鎖位置から取り外すのは次のようにして行われる。
【００１９】
ロック部材、より具体的に言えば紙面に平行な面１６を有するハウジング１５を、これらの面１６が紙面に垂直な位置に来るまで１／４回転させなければならない。この位置では、ロック部材は鎖リンク１の通路２を通ることができ、充填部材とともに取り出すことができる。ロック部材を回転できるようにするためには、安全ロックを外さなければならない。このためには、ナット１４の六角鍵穴３２に鍵を挿入して、ばね１７の圧力に抗してナット１４を内側に移動させる。その結果、ロックスロット２７内に配置した中央ピン２９の方形頭部３０の部分がジャーナル１８の担体スロット２５内に変位するので、同じ鍵によって、連結されたハウジング１５を有するジャーナルをロック部材を外す位置まで９０度回転させることができる。このようにして、ナット１４に作用していた圧力が解除できる。
【００２０】
ばら積に代表されるような、湿気や埃のある環境で鎖リンクを用いていると、ばね１７を収容設置している充填部材９のチャンバー３４が汚れたり腐食したりして、頭部３０を有するピン２９からなる安全ロックが、ナット１４に作用する圧力によって内側に移動することが不可能になることもある。この場合、オランダ特許出願８５０２６３０号による構成では、ナット１４を弛めて穴１２から外すことができ、そうして、チャンバー３４を掃除したり圧縮ばね１７を交換するために圧縮ばね１７をチャンバー３４から取り外すことができるし、さらにまた、チャンバー３４に清潔な潤滑材を設けることもできる。
【図面の簡単な説明】
【図１】本発明による安全ロックを有する鎖リンクの横断面図。
【図２】充填部材なしの鎖リンクの立面図。
【符号の説明】
１  鎖リンク（Ｃ形本体）
２  開放リム（通路）
３、４  狭部
５、６  つば（対面端）
７、８  面
９  充填部材
１０  拡大頭部
１１  斜面
１２  穴
１３  ねじ付きチャンバー
１４  保持部材（円筒ナット）
１５  ロック部材（円筒ハウジング）
１６  平坦面
１７  ばね
１８  ジャーナル
１９  チャンバー
２０、２１  フォーク
２２、２３  凹チャンバー
２４、２５  だぼピン
２５  担体スロット
２６  ボルト
２７  ロックスロット
２９  ロック機構（中央ピン）
３０  ロック機構（方形頭部）
３１  ねじ山
３２  鍵穴
３３  つば
３４  チャンバー
【図１】
0003818766.tif 000002
【図２】
0003818766.tif 000003